(57)【要約】【課題】高いファン効率を得ることができるシロッコファンを提供する。【解決手段】ファンケーシング（85）は、第２吸込口（92a）の内径をＤ、本体部（90）における第２ベルマウス（92）側の側面（90b）からモータ（82）までの距離をＬとすると、Ｌ／Ｄ≦０．４となるように構成される。第１ベルマウス（91）は、本体部（90）の側面（90a）から軸方向外方へ膨出し、第２ベルマウス（92）は、本体部（90）の側面（90b）から軸方向外方へ膨出しない平坦状に構成される。【選択図】図７
2019086003.tif 000002
【特許請求の範囲】
【請求項１】
シロッコファンであって、
モータ（82）と、
上記モータ（82）に回転駆動されるファンロータ（84）と、
上記ファンロータ（84）を収容する略筒状の本体部（90）を有するファンケーシング（85）とを備え、
上記ファンケーシング（85）は、
上記本体部（90）の筒軸方向の両側のうち上記モータ（82）と反対側に配置され、第１吸込口（91a）が形成される第１ベルマウス（91）と、
上記本体部（90）の筒軸方向の両側のうち上記モータ（82）側に配置され、第２吸込口（92a）が形成される第２ベルマウス（92）とを有し、
上記第２吸込口（92a）の内径をＤとし、上記本体部（90）における上記第２ベルマウス（92）側の側面（90b）から上記モータ（82）までの距離をＬとすると、
上記ファンケーシング（85）は、Ｌ／Ｄ≦０．４となるように構成され、
上記第１ベルマウス（91）は、上記本体部（90）の側面（90a）から軸方向外方へ膨出するように構成され、
上記第２ベルマウス（92）は、上記本体部（90）の側面（90b）から軸方向外方へ膨出しない平坦状に構成される
ことを特徴とするシロッコファン。
【請求項２】
シロッコファンであって、
モータ（82）と、
上記モータ（82）に回転駆動されるファンロータ（84）と、
上記ファンロータ（84）を収容する略筒状の本体部（90）を有するファンケーシング（85）とを備え、
上記ファンケーシング（85）は、
上記本体部（90）の筒軸方向の両側のうち上記モータ（82）と反対側に配置され、第１吸込口（91a）が形成される第１ベルマウス（91）と、
上記本体部（90）の筒軸方向の両側のうち上記モータ（82）側に配置され、第２吸込口（92a）が形成される第２ベルマウス（92）とを有し、
上記ファンケーシング（85）は、Ｌ／Ｄ≦０．４となるように構成され、
上記第１ベルマウス（91）は、上記本体部（90）の側面（90a）から軸方向外方へ膨出するように構成され、
上記第２ベルマウス（92）は、上記本体部（90）の側面（90b）から軸方向外方へ膨出するように構成され、
上記ファンケーシング（85）は、上記第２ベルマウス（92）の膨出高さＨ２が、上記第１ベルマウス（91）の膨出高さＨ１よりも小さくなるように構成される
ことを特徴とするシロッコファン。
【請求項３】
請求項２において、
上記ファンケーシング（85）は、Ｌ／Ｄ＝０．４で且つＬ／Ｈ２≧１０となるように構成されている
ことを特徴とするシロッコファン。
【発明の詳細な説明】
【技術分野】
【０００１】
本発明は、シロッコファンに関する。
【背景技術】
【０００２】
従来より、空気を送風する送風機として、シロッコファン（多翼型ファン）が知られている。例えば特許文献１に開示のシロッコファンは、調湿装置に搭載されている。
【０００３】
調湿装置は、吸着剤が担持された２つの吸着熱交換器を備え、室外空気を除湿又は加湿して室内へ供給するように構成される。具体的に、調湿装置の運転時には、シロッコファンで構成される給気ファン及び排気ファンが作動する。給気ファンが作動すると、室外空気が吸着熱交換器を通過し、この空気が除湿又は加湿されて室内へ供給される。排気ファンが作動すると、室内空気が吸着熱交換器を通過し、この空気が吸着熱交換器の水分を再生する又は吸着熱交換器に水分を付与し、室外へ排出される。
【先行技術文献】
【特許文献】
【０００４】
【特許文献１】特開２００９−１９８６４号公報
【発明の概要】
【発明が解決しようとする課題】
【０００５】
ところで、シロッコファンでは、ファンケーシングの内部にファンロータが収容され、このファンロータがモータによって回転駆動される。ここで、この種のシロッコファンでは、ファンケーシングの筒軸方向の両側にそれぞれ吸込口が形成されるものがある。
【０００６】
このシロッコファンにおいて、吸込口に吸い込まれる直前の空気を整流する方法として、ファンケーシングの両側に軸方向外方へ膨出する凸状のベルマウスを形成し、ベルマウスの内部に吸込口を形成する構造が考えられる。これにより、ベルマウスの外周側の空気がベルマウスの内壁に沿うように整流化され、ファン性能の向上を図ることができる。
【０００７】
ところが、このように、ファンケーシングの両側にそれぞれ凸状のベルマウスを形成すると、モータと、該モータに隣接するベルマウスとの距離が狭くなってしまう。これにより、モータ寄りのベルマウスでは、モータが吸込空気の障害となり、吸込空気の抵抗が増大してしまう虞がある。この結果、このような吸込空気の抵抗に起因してファン効率がかえって低下してしまうという問題があった。
【０００８】
本発明は、かかる点に鑑みてなされたものであり、その目的は、高いファン効率を得ることができるシロッコファンを提供することにある。
【課題を解決するための手段】
【０００９】
第１の発明は、シロッコファンを対象とし、モータ（82）と、該モータ（82）に回転駆動されるファンロータ（84）と、該ファンロータ（84）を収容する略筒状の本体部（90）を有するファンケーシング（85）とを備え、該ファンケーシング（85）は、上記本体部（90）の筒軸方向の両側のうち上記モータ（82）と反対側に配置され、第１吸込口（91a）が形成される第１ベルマウス（91）と、上記本体部（90）の筒軸方向の両側のうち上記モータ（82）側に配置され、第２吸込口（92a）が形成される第２ベルマウス（92）とを有し、上記第２吸込口（92a）の内径をＤとし、上記本体部（90）における上記第２ベルマウス（92）側の側面（90b）から上記モータ（82）までの距離をＬとすると、上記ファンケーシング（85）は、Ｌ／Ｄ≦０．４となるように構成され、上記第１ベルマウス（91）は、上記本体部（90）の側面（90a）から軸方向外方へ膨出するように構成され、上記第２ベルマウス（92）は、上記本体部（90）の側面（90b）から軸方向外方へ膨出しない平坦状に構成されることを特徴とする。
【００１０】
第１の発明では、ファンケーシング（85）の本体部（90）の筒軸方向の両側にそれぞれベルマウス（91,92）が形成される。モータ（82）と反対側の第１ベルマウス（91）には、第１吸込口（91a）が形成され、モータ（82）側の第２ベルマウス（92）には、第２吸込口（92a）が形成される。モータ（82）がファンロータ（84）を駆動すると、各吸込口（91a,92a）から空気が吸い込まれ、この空気が所定方向へ吹き出される。
【００１１】
本発明のファンケーシング（85）は、第２吸込口（92a）の内径をＤとし、本体部（90）の第２ベルマウス（92）側の側面（90b）からモータ（82）までの距離をＬとすると、Ｌ／Ｄ≦０．４となるように構成される。つまり、第２吸込口（92a）の内径Ｄに対して、モータ（82）から本体部（90）までの間の距離Ｌが相対的に小さくなる。従って、第２吸込口（92a）に吸い込まれる空気は、モータ（82）の干渉を受けるため、吸込空気の抵抗が増大し易い。
【００１２】
しかしながら、本発明では、第２ベルマウス（92）が、軸方向外方へ膨出せず平坦状に形成され、ファンケーシング（85）の本体部（90）と略面一に構成される。従って、第２吸込口（92a）とモータ（82）との間の距離が十分確保され、第２吸込口（92a）の吸込空気の抵抗が小さくなる。
【００１３】
一方、第１ベルマウス（91）は、本体部（90）の側面（90a）から径方向に膨出している。このため、第１ベルマウス（91）の第１吸込口（91a）の外周の空気は、第１吸込口（91a）を通過する際に整流化される。
【００１４】
第２の発明は、シロッコファンを対象とし、モータ（82）と、該モータ（82）に回転駆動されるファンロータ（84）と、該ファンロータ（84）を収容する略筒状の本体部（90）を有するファンケーシング（85）とを備え、該ファンケーシング（85）は、上記本体部（90）の筒軸方向の両側のうち上記モータ（82）と反対側に配置され、第１吸込口（91a）が形成される第１ベルマウス（91）と、上記本体部（90）の筒軸方向の両側のうち上記モータ（82）側に配置され、第２吸込口（92a）が形成される第２ベルマウス（92）とを有し、上記ファンケーシング（85）は、Ｌ／Ｄ≦０．４となるように構成され、上記第１ベルマウス（91）は、上記本体部（90）の側面（90a）から軸方向外方へ膨出するように構成され、上記第２ベルマウス（92）は、上記本体部（90）の側面（90b）から軸方向外方へ膨出するように構成され、上記ファンケーシング（85）は、上記第２ベルマウス（92）の膨出高さＨ２が、上記第１ベルマウス（91）の膨出高さＨ１よりも小さくなるように構成されることを特徴とする。
【００１５】
第２の発明では、第１の発明と同様にして、ファンケーシング（85）が、Ｌ／Ｄ≦０．４となるように構成される。これにより、第２吸込口（92a）に吸い込まれる空気は、モータ（82）の干渉を受けるため、吸込空気の抵抗が増大し易い。
【００１６】
しかしながら、本発明では、第２ベルマウス（92）の膨出高さＨ２が、第１ベルマウス（91）の膨出高さＨ１よりも小さい。従って、第２吸込口（92a）とモータ（82）との間の距離が確保され、第２吸込口（92a）の吸込空気の抵抗が小さくなる。
【００１７】
一方、第１ベルマウス（91）の膨出高さＨ１は、第２ベルマウス（92）の膨出高さＨ２よりも大きい。このため、第１ベルマウス（91）の第１吸込口（91a）の外周の空気は、第１吸込口（91a）を通過する際に整流化され易くなる。
【００１８】
第３の発明は、第２の発明において、上記ファンケーシング（85）は、Ｌ／Ｄ＝０．４で且つＬ／Ｈ２≧１０となるように構成されていることを特徴とする。
【００１９】
第３の発明では、ファンケーシング（85）がＬ／Ｄ＝０．４の関係を満たすので、モータ（82）と本体部（90）との距離が過剰に遠くなったり、狭くなったりすることを回避できる。更に、本発明では、Ｌ／Ｈ２≧１０とすることで、モータ（82）と第２吸込口（92a）との間の距離が過剰に狭くなってしまうことを回避でき、第２吸込口（92a）に吸い込まれる吸込空気の抵抗を低減できる。
【発明の効果】
【００２０】
第１や第２の発明によれば、モータ（82）と本体部（90）との距離が比較的狭い状態であっても、モータ（82）と第２吸込口（92a）との間の距離を十分に確保でき、第２吸込口（92a）の吸込空気の抵抗の低減、ひいてはファン効率の向上を図ることができる。また、モータ（82）と本体部（90）との距離を比較的狭くすることで、シロッコファンの設置スペースを小さくできる。
【００２１】
また、第１や第２の発明によれば、第１ベルマウス（91）が軸方向外方へ膨出するため、第１吸込口（91a）で吸込空気を十分に整流化できる。この結果、ファン効率を更に向上できる。
【００２２】
また、第１の発明によれば、第２ベルマウス（92）を軸方向外方へ膨出させる必要がないので、第２ベルマウス（92）の比較的容易な加工により形成できる。
【００２３】
第３の発明によれば、Ｌ／Ｈ２≧１０とすることで、モータ（82）と第２吸込口（92a）との間の距離を十分に確保でき、第２吸込口（92a）の吸込空気の抵抗を確実に低減できる。この結果、ファン効率を更に向上できる。
【図面の簡単な説明】
【００２４】
【図１】図１は、実施形態に係る調湿装置の概略構成を示す平面図である。
【図２】図２は、実施形態に係る調湿装置の内部構造を示す図１のII矢視図（右面図）である。
【図３】図３は、実施形態に係る調湿装置の内部構造を示す図１のIII矢視図（左面図）である。
【図４】図４(Ａ)は、冷媒回路の概略の配管系統図であり、第１動作を示すものである。図４(Ｂ)は、冷媒回路の概略の配管系統図であり、第２動作を示すものである。
【図５】図５は、実施形態に係るシロッコファンの斜視図である。
【図６】図６は、実施形態に係るシロッコファンの上面図である。
【図７】図７は、実施形態に係るシロッコファンの図６のVII-VII断面図である。
【図８】図８は、比較例に係るシロッコファンのＬ／Ｄと効率αの関係を示すグラフである。
【図９】図９は、実施形態の変形例に係るシロッコファンの上面図である。
【図１０】図１０は、実施形態の変形例に係るシロッコファンのＬ／Ｈ２と効率αの関係を示すグラフである。
【発明を実施するための形態】
【００２５】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２６】
本発明の実施形態について説明する。実施形態に係るシロッコファン（80）（多翼ファン）は、調湿装置（10）に適用されている。
【００２７】
調湿装置（10）は、除湿運転と加湿運転とを切り換えて行うように構成される。調湿装置（10）は、ケーシング（20）と、冷媒回路（50）と、２つのファン（60,70）とを備えている。
【００２８】
〈ケーシング〉
図１〜図３に示すように、ケーシング（20）は、上下の高さが低い直方体状の箱形に形成されている。ケーシング（20）は、前面パネル（21）と後面パネル（22）と第１側面パネル（23）と第２側面パネル（24）と底板（25）と天板（26）とを有している。
【００２９】
第１側面パネル（23）は、ケーシング（20）の右側（図１の右側）に形成され、第２側面パネル（24）は、ケーシング（20）の左側（図１の左側）に形成される。第１側面パネル（23）には、上部中間部に外気吸込口（31）が形成され、上部後方部に排気口（32）が形成される。第２側面パネル（24）には、下部中間部に内気吸込口（33）が形成され、下部後方部に給気口（34）が形成される。外気吸込口（31）には、室外に連通する外気ダクト（31a）が接続され、排気口（32）には、室外に連通する排気ダクト（32a）が接続される。内気吸込口（33）には、室内に連通する内気ダクト（33a）が接続され、給気口（34）には、室内に連通する給気ダクト（34a）が接続される。
【００３０】
ケーシング（20）の内部の前面寄りには、第１側面パネル（23）に沿って外気通路（35）と排気通路（36）とが形成される。外気通路（35）は、給気通路（38）の上側に形成され、外気吸込口（31）と連通している。ケーシング（20）の内部の前面寄りには、第２側面パネル（24）に沿って内気通路（37）と給気通路（38）とが形成される。内気通路（37）は、給気通路（38）の下側に形成され、内気吸込口（33）と連通している。
【００３１】
ケーシング（20）の内部の前面寄りの中央部には、第１熱交換器室（41）と第２熱交換器室（42）とが形成される。各熱交換器室（41,42）には、それぞれ４枚のダンパ（45）が面している。第１熱交換器室（41）は、各ダンパ（45）を介して、外気通路（35）、排気通路（36）、内気通路（37）、及び給気通路（38）とそれぞれ断続する。第２熱交換器室（42）は、各ダンパ（45）を介して、外気通路（35）、排気通路（36）、内気通路（37）、及び給気通路（38）とそれぞれ断続する。
【００３２】
ケーシング（20）の内部の後方寄りには、第１側面パネル（23）に沿って排気室（39）が形成され、第２側面パネル（24）に沿って給気室（40）が形成される。排気室（39）は、排気通路（36）及び排気口（32）と連通し、給気室（40）は、給気通路（38）及び給気口（34）と連通している。
【００３３】
〈冷媒回路〉
図４に示すように、調湿装置（10）は、冷媒が充填される冷媒回路（50）を備えている。冷媒回路（50）では、冷媒が循環することで蒸気圧縮式の冷凍サイクルが行われる。冷媒回路（50）には、圧縮機（51）と第１吸着熱交換器（52）と膨張弁（53）と第２吸着熱交換器（54）と四方切換弁（55）とが接続される。
【００３４】
図１に示すように、圧縮機（51）は、給気室（40）の右側寄りに配置される。各吸着熱交換器（52,54）は、フィン・アンド・チューブ式の熱交換器の表面に水分を吸着又は脱離する吸着剤（収着剤）が担持される。第１吸着熱交換器（52）は、第１熱交換器室（41）に配置され、第２吸着熱交換器（54）は、第２熱交換器室（42）に配置される。
【００３５】
四方切換弁（55）は、圧縮機（51）の吐出側と連通する第１ポートと、圧縮機（51）の吸入側と連通する第２ポートとを有している。四方切換弁（55）は、第１吸着熱交換器（52）のガス側端部と連通する第３ポートと、第２吸着熱交換器（54）のガス側端部と連通する第４ポートとを有している。四方切換弁（55）は、第１ポートと第３ポートが連通し且つ第２ポートと第４ポートが連通する第１の状態（図４(Ａ)）と、第１ポートと第４ポートが連通し第２ポートと第３ポートが連通する第２の状態（図４(Ｂ)）とに切り換わる。
【００３６】
〈シロッコファンの構成〉
排気ファン（60）及び給気ファン（70）は、それぞれ同様の構成のシロッコファン（80）で構成される。図１に示すように、排気ファン（60）は、排気室（39）に配置され、給気ファン（70）は、給気室（40）に配置される。排気ファン（60）の吹出口（61）は、排気口（32）に接続され、給気ファン（70）の吹出口（71）は、給気口（34）に接続される。
【００３７】
シロッコファン（80）の詳細な構成について、図５〜図７を参照しながら説明する。
【００３８】
シロッコファン（80）は、モータ支持台（81）と、モータ（82）と、シャフト（83）と、ファンロータ（84）と、ファンケーシング（85）とを有している。
【００３９】
モータ支持台（81）は、調湿装置（10）の底板（25）に設置されている。モータ支持台（81）は、縦長板状の一対の支持板（81a）と、該一対の支持板（81a）の各下端に亘るベース板（81b）と、一対の支持板（81a）の間に垂直な姿勢で介設される中間板（81c）とを有している。一対の支持板（81a）の上端は、上方に向かって幅が狭くなるテーパ状に形成される。
【００４０】
モータ（82）は、一対の支持板（81a）の各上端部の間に支持されている。モータ（82）は、調湿装置（10）の後面パネル（22）に対向して配置される（図１を参照）。
【００４１】
シャフト（83）の一端は、モータ（82）の軸心部に連結されている。シャフト（83）の他端は、ファンロータ（84）の軸心部に連結されている。
【００４２】
ファンロータ（84）は、外形が略円筒状に形成される羽根車を構成している。ファンロータ（84）の外周側には、複数の羽根（84a）が略等間隔置きに周方向に配列されている。
【００４３】
ファンケーシング（85）は、シャフト（83）の一部、及びファンロータ（84）を収容するケーシングを構成している。本実施形態のファンケーシング（85）は、樹脂性のケース部（86）と、金属製の閉塞部材（87）とを有している。
【００４４】
ケース部（86）は、モータ（82）側が開放された中空状に形成されている。ケース部（86）は、ファンロータ（84）が収容される略筒状の収容部（86a）と、該収容部（86a）の内部と連通する矩形状の吹出口（61,71）とを有している。
【００４５】
閉塞部材（87）は、ケース部（86）のうちモータ（82）側の開放部の全域を覆っている。閉塞部材（87）は、ケース部（86）の上端から調湿装置（10）の底板（25）に亘って延びる略矩形状の閉塞支持板（88）と、該閉塞支持板（88）の上部に配置される吸込板（89）とを有している。吸込板（89）は、閉塞支持板（88）の表面に重なるように該閉塞支持板（88）にビス（締結部材）を介して固定される。閉塞支持板（88）における吸込板（89）に対応する部位には、開口が形成され、この開口を吸込板（89）が覆っている。
【００４６】
本実施形態では、ケース部（86）の収容部（86a）及び閉塞支持板（88）の上側部位が略筒状の本体部（90）を構成している。つまり、本体部（90）は、モータ（82）と同軸となるように、該モータ（82）と隣接するように配置され、ファンロータ（84）の全体を収容している。
【００４７】
本体部（90）の筒軸方向の両側には、それぞれベルマウス（91,92）が形成されている。これらのベルマウス（91,92）のうちモータ（82）と反対側のベルマウスが第１ベルマウス（91）を構成し、モータ（82）側のベルマウスが第２ベルマウス（92）を構成している。
【００４８】
第１ベルマウス（91）は、樹脂性のケース部（86）と一体に成形されている。第１ベルマウス（91）は、本体部（90）におけるモータ（82）と反対側の第１側面（90a）（図６及び図７を参照）から軸方向外方に凸状に膨出している。第１ベルマウス（91）の内部には、第１吸込口（91a）が形成されている。第１吸込口（91a）の内周縁部は、軸方向外方に向かうにつれて内径を拡大させるような略ラッパ形状に構成されている。図１に示すように、排気ファン（60）の第１ベルマウス（91）（第１吸込口（91a））は、排気通路（36）に対向し、給気ファン（70）の第１ベルマウス（91）（第１吸込口（91a））は、給気通路（38）に対向している。
【００４９】
第２ベルマウス（92）は、上記吸込板（89）の中央部に形成されている。第２ベルマウス（92）は、本体部（90）におけるモータ（82）側の第２側面（90b）と略面一に構成されている。つまり、第２ベルマウス（92）は、本体部（90）から軸方向外方へ膨出しておらず、平坦状に構成されている。
【００５０】
第２ベルマウス（92）では、板金を絞り加工することにより、内部に第２吸込口（92a）が形成される。第２吸込口（92a）の内周縁部は、軸方向外方へ向かうにつれて内径を拡大させるような略ラッパ形状に構成されている。
【００５１】
〈シロッコファンの寸法関係〉
本実施形態に係るシロッコファン（80）の寸法関係について図７を参照しながら説明する。ファンケーシング（85）では、本体部（90）の第１側面（90a）から軸方向外方へ第１ベルマウス（91）が膨出している。つまり、第１ベルマウス（91）の膨出高さＨ１は、０よりも大きい所定長さであり、
一方、ファンケーシング（85）では、本体部（90）の第２側面（90b）から軸方向外方へ第２ベルマウス（92）が膨出していない。つまり、第２ベルマウス（92）の膨出高さＨ２は、実質的に０ということもできる。
【００５２】
シロッコファン（80）では、モータ（82）におけるファンケーシング（85）側の側面から第２側面（90b）までの距離をＬとし、第２ベルマウス（92）の第２吸込口（92a）の内径（厳密には、図５及び７に示す最大内径）をＤとすると、Ｌ／Ｄ≦０．４となっている。つまり、シロッコファン（80）では、第２吸込口（92a）の内径Ｄに対してモータ（82）と本体部（90）の間隔Ｌが比較的狭くなっている。距離Ｌは例えば５４ｍｍであり、内径Ｄは例えば１７５ｍｍである。つまり、Ｌ／Ｄは約０．３となっている。
【００５３】
−運転動作−
次いで、調湿装置（10）の運転動作について図１〜図４を参照しながら説明する。調湿装置（10）の運転時には、冷媒回路（50）で冷凍サイクルが行われると同時に、給気ファン（70）及び排気ファン（60）が作動状態となる。
【００５４】
［除湿運転］
調湿装置（10）の除湿運転では、第１動作と第２動作とが繰り返し行われる。第１動作では、第１吸着熱交換器（52）が放熱器（凝縮器）となり、第２吸着熱交換器（54）が蒸発器となる冷凍サイクルが行われる。第２動作では、第２吸着熱交換器（54）が放熱器（凝縮器）となり、第１吸着熱交換器（52）が蒸発器となる冷凍サイクルが行われる。
【００５５】
第１動作では、室外空気（OA）が外気通路（35）、第２熱交換器室（42）、給気通路（38）を順に通過するようにダンパ（45）の開閉状態が切り換えられる。これにより、室外空気（OA）は、第２吸着熱交換器（54）で除湿され、給気通路（38）、給気室（40）、及び給気口（34）を介して供給空気（SA）として室内へ供給される。また、第１動作では、室内空気（RA）が内気通路（37）、第１熱交換器室（41）、排気通路（36）を順に通過するようにダンパ（45）の開閉状態が切り換えられる。これにより、室内空気（RA）は、第１吸着熱交換器（52）の吸着剤の再生に利用され、排気通路（36）、排気室（39）、及び排気口（32）を介して室外空気（EA）として室外へ排出される。
【００５６】
第２動作では、室外空気（OA）が外気通路（35）、第１熱交換器室（41）、給気通路（38）を順に通過するようにダンパ（45）の開閉状態が切り換えられる。これにより、室外空気（OA）は、第１吸着熱交換器（52）で除湿され、給気通路（38）、給気室（40）、及び給気口（34）を介して供給空気（SA）として室内へ供給される。また、第２動作では、室内空気（RA）が内気通路（37）、第２熱交換器室（42）、排気通路（36）を順に通過するようにダンパ（45）の開閉状態が切り換えられる。これにより、室内空気（RA）は、第２吸着熱交換器（54）の吸着剤の再生に利用され、排気通路（36）、排気室（39）、及び排気口（32）を介して室外空気（EA）として室外へ排出される。
【００５７】
［加湿運転］
調湿装置（10）の加湿運転では、第１動作と第２動作とが繰り返し行われる。
【００５８】
第１動作では、室外空気（OA）が外気通路（35）、第１熱交換器室（41）、給気通路（38）を順に通過するようにダンパ（45）の開閉状態が切り換えられる。これにより、室外空気（OA）は、第１吸着熱交換器（52）で加湿され、給気通路（38）、給気室（40）、及び給気口（34）を介して供給空気（SA）として室内へ供給される。また、第１動作では、室内空気（RA）が内気通路（37）、第２熱交換器室（42）、排気通路（36）を順に通過するようにダンパ（45）の開閉状態が切り換えられる。これにより、室内空気（RA）は、第２吸着熱交換器（54）の吸着剤へ水分を付与し、排気通路（36）、排気室（39）、及び排気口（32）を介して室外空気（EA）として室外へ排出される。
【００５９】
第２動作では、室外空気（OA）が外気通路（35）、第２熱交換器室（42）、給気通路（38）を順に通過するようにダンパ（45）の開閉状態が切り換えられる。これにより、室外空気（OA）は、第２吸着熱交換器（54）で加湿され、給気通路（38）、給気室（40）、及び給気口（34）を介して供給空気（SA）として室内へ供給される。また、第２動作では、室内空気（RA）が内気通路（37）、第１熱交換器室（41）、排気通路（36）を順に通過するようにダンパ（45）の開閉状態が切り換えられる。これにより、室内空気（RA）は、第１吸着熱交換器（52）の吸着剤へ水分を付与し、排気通路（36）、排気室（39）、及び排気口（32）を介して室外空気（EA）として室外へ排出される。
【００６０】
〈シロッコファンの作用効果〉
上述した除湿運転や加湿運転では、給気ファン（70）や排気ファン（60）が作動する。これらのシロッコファン（80）では、モータ（82）がファンロータ（84）を回転駆動することで、第１吸込口（91a）及び第２吸込口（92a）からそれぞれ空気が吸い込まれる。吸い込まれた空気は、ファンロータ（84）の周方向（接線方向）に向きを変え、各吹出口（61,71）より吹き出される。
【００６１】
ここで、本実施形態のシロッコファン（80）では、設置スペースを小さくするために、第２吸込口（92a）の内径Ｄに対し、モータ（82）とファンケーシング（85）の本体部（90）との間の距離Ｌを相対的に小さくしている。具体的には、ファンケーシング（85）は、Ｌ／Ｄ≦０．４となるように構成される。ところが、このように、Ｌ／Ｄを小さくしていくと、ファンの効率が低下するという問題が生じる。この点について、図８を参照しながら説明する。
【００６２】
図８は、比較例のシロッコファンについて、Ｌ／Ｄを変化させるとどの程度ファンの効率が低下するかを検証したグラフである。ここで、縦軸の効率αは、η２／η１で求められる。η１は、モータが第２吸込口の吸込空気と干渉しないように、両者を極力離した際のファンの効率（最大効率）である。これに対し、η２は、Ｌ／Ｄを変化させて計測したファンの効率である。つまり、この効率αが低いほど、最大のファン効率η１に対して実際のファン効率η２が低下していることを示す。
【００６３】
なお、比較例のシロッコファンは、ファンケーシングの本体部の両側の側面からそれぞれ同じ膨出高さで軸方向外方へ膨出する一対の凸状のベルマウスを有するものである。
【００６４】
図８に示すように、比較例のシロッコファンでは、Ｌ／Ｄが０．４以下になると急激に効率αが低下してしまうことがわかる。つまり、比較例のシロッコファンにおいて、設置スペースを小さくするために、モータと本体部とを近づけると、モータが第２吸込口に干渉してしまい、第２吸込口に吸い込まれる空気の抵抗が増大してしまう。この結果、縦軸で示す効率αが低下してしまうという問題が生じる。
【００６５】
そこで、本実施形態では、第２ベルマウス（92）を軸方向外方へ膨出させず、平坦状に形成している。これにより、図７に示すように、モータ（82）と第２吸込口（92a）までの距離を十分に確保できるため、モータ（82）が第２吸込口（92a）と干渉することを防止できる。この結果、第２吸込口（92a）の吸込空気の抵抗を低減でき、モータ効率を向上できる。
【００６６】
また、本実施形態では、モータ（82）が隣接しておらず、空気通路（給気通路（38）又は排気通路（36））に面する第１ベルマウス（91）を軸方向外方へ膨出させている。このため、第１ベルマウス（91）では、周囲の空気を整流しながら吸い込むことができ、モータの効率を更に向上できる。
【００６７】
−実施形態の効果−
本実施形態によれば、モータ（82）とファンケーシング（85）の本体部（90）との距離が比較的狭い状態であっても、モータ（82）と第２吸込口（92a）との間の距離を十分に確保でき、第２吸込口（92a）の吸込空気の抵抗の低減、ひいてはファン効率の向上を図ることができる。また、モータ（82）とファンケーシング（85）の本体部（90）との距離を比較的狭くすることで、シロッコファン（80）の設置スペースを小さくできる。
【００６８】
また、このように、Ｌ／Ｄが０．４以下である条件下において、モータ（82）と第２吸込口（92a）との間の距離を十分に確保できると、第２吸込口（92a）に吸い込まれる空気の流量、ないし流速を増大させることができる。この結果、シロッコファン（80）のファン性能を向上できる。
【００６９】
また、第１ベルマウス（91）が軸方向外方へ膨出するため、第１吸込口（91a）で吸込空気を十分に整流化できる。この結果、ファン効率を更に向上できる。
【００７０】
また、本実施形態では、第２ベルマウス（92）を軸方向外方へ膨出させる必要がないので、板金を絞り加工することで、第２ベルマウス（92）を容易に成形できる。
【００７１】
〈実施形態の変形例〉
実施形態の変形例は、上記実施形態とシロッコファン（80）の構成が異なるものである。図９に示すように、変形例のシロッコファン（80）では、実施形態１と異なり、第２ベルマウス（92）も軸方向外方へ凸状に膨出している。第２ベルマウス（92）の膨出高さＨ２は、第１ベルマウス（91）の膨出高さＨ１より小さい。
【００７２】
また、変形例のファンケーシング（85）は、Ｌ／Ｄ＝０．４となるように構成される。これにより、シロッコファン（80）の設置スペースが比較的小さくなる一方、モータ（82）と第２吸込口（92a）との距離が過剰に狭くなることもない。更に、変形例のファンケーシング（85）は、Ｌ／Ｈ２≧１０となるように構成されている。この点について、図１０を参照しながら説明する。
【００７３】
図１０は、縦軸を上述した効率αとし、横軸をＬ／Ｈ２としたときの両者の関係を示すグラフである。このグラフからわかるように、Ｌ／Ｈ２が１０より小さくなると、効率αが著しく低下する。これは、モータ（82）と本体部（90）との間の距離Ｌに対して、第２ベルマウス（92）の膨出高さＨ２が相対的に大きめとなり、モータ（82）が第２吸込口（92a）と干渉し易くなるからである。これに対し、Ｌ／Ｈ２が１０以上になると、効率αがほぼ最大値（α＝１．０）に達する。膨出高さＨ２が小さくなることに起因して、モータ（82）が第２吸込口（92a）と干渉し難くなり、吸込空気の抵抗が小さくなるからである。
【００７４】
以上のように、変形例２では、Ｈ２＜Ｈ１且つＬ／Ｄ＝０．４且つＬ／Ｈ２≧１０の関係式を満たすことで、第２吸込口（92a）の吸込空気の抵抗を低減でき、且つ第１ベルマウス（91）での整流効果も十分得ることができる。
【００７５】
また、このような条件下において、モータ（82）と第２吸込口（92a）との間の距離を十分に確保できると、第２吸込口（92a）に吸い込まれる空気の流量、ないし流速を増大させることができる。この結果、シロッコファン（80）のファン性能を向上できる。
【００７６】
《その他の実施形態》
上述した実施形態では、給気ファン（70）と排気ファン（60）との双方に本発明に係るシロッコファン（80）を採用しているが、いずれか一方のみに採用してもよい。
【００７７】
また、本実施形態では、シロッコファン（80）を調湿装置（10）に搭載しているが、換気装置、空気調和機、空気清浄機等の他の装置（空気を搬送する装置）に本発明に係るシロッコファン（80）を搭載してもよい。  
【産業上の利用可能性】
【００７８】
以上説明したように、本発明は、シロッコファンについて有用である。
【符号の説明】
【００７９】
60          排気ファン（シロッコファン）
70          給気ファン（シロッコファン）
80          シロッコファン
82          モータ
84          ファンロータ
85          ファンケーシング
90          本体部
90a         第１側面
90b         第２側面
91          第１ベルマウス
91a         第１吸込口
92          第２ベルマウス
92a         第２吸込口
【図１】
2019086003.tif 000003
【図２】
2019086003.tif 000004
【図３】
2019086003.tif 000005
【図４】
2019086003.tif 000006
【図５】
2019086003.tif 000007
【図６】
2019086003.tif 000008
【図７】
2019086003.tif 000009
【図８】
2019086003.tif 000010
【図９】
2019086003.tif 000011
【図１０】
2019086003.tif 000012
【手続補正書】
【提出日】平成31年3月1日(2019.3.1)
【手続補正１】
【補正対象書類名】明細書
【補正対象項目名】全文
【補正方法】変更
【補正の内容】
【発明の詳細な説明】
【技術分野】
【０００１】
本発明は、シロッコファン、及び空気搬送装置に関する。
【背景技術】
【０００２】
従来より、空気を送風する送風機として、シロッコファン（多翼型ファン）が知られている。例えば特許文献１に開示のシロッコファンは、調湿装置に搭載されている。
【０００３】
調湿装置は、吸着剤が担持された２つの吸着熱交換器を備え、室外空気を除湿又は加湿して室内へ供給するように構成される。具体的に、調湿装置の運転時には、シロッコファンで構成される給気ファン及び排気ファンが作動する。給気ファンが作動すると、室外空気が吸着熱交換器を通過し、この空気が除湿又は加湿されて室内へ供給される。排気ファンが作動すると、室内空気が吸着熱交換器を通過し、この空気が吸着熱交換器の水分を再生する又は吸着熱交換器に水分を付与し、室外へ排出される。
【先行技術文献】
【特許文献】
【０００４】
【特許文献１】特開２００９−１９８６４号公報
【発明の概要】
【発明が解決しようとする課題】
【０００５】
ところで、シロッコファンでは、ファンケーシングの内部にファンロータが収容され、このファンロータがモータによって回転駆動される。ここで、この種のシロッコファンでは、ファンケーシングの筒軸方向の両側にそれぞれ吸込口が形成されるものがある。
【０００６】
このシロッコファンにおいて、吸込口に吸い込まれる直前の空気を整流する方法として、ファンケーシングの両側に軸方向外方へ膨出する凸状のベルマウスを形成し、ベルマウスの内部に吸込口を形成する構造が考えられる。これにより、ベルマウスの外周側の空気がベルマウスの内壁に沿うように整流化され、ファン性能の向上を図ることができる。
【０００７】
ところが、このように、ファンケーシングの両側にそれぞれ凸状のベルマウスを形成すると、モータと、該モータに隣接するベルマウスとの距離が狭くなってしまう。これにより、モータ寄りのベルマウスでは、モータが吸込空気の障害となり、吸込空気の抵抗が増大してしまう虞がある。この結果、このような吸込空気の抵抗に起因してファン効率がかえって低下してしまうという問題があった。
【０００８】
本発明は、かかる点に鑑みてなされたものであり、その目的は、高いファン効率を得ることができるシロッコファンを提供することにある。
【課題を解決するための手段】
【０００９】
第１の発明は、シロッコファンを対象とし、モータ（82）と、該モータ（82）に回転駆動されるファンロータ（84）と、該ファンロータ（84）を収容する略筒状の本体部（90）を有するファンケーシング（85）とを備え、該ファンケーシング（85）は、上記本体部（90）の筒軸方向の両側のうち上記モータ（82）と反対側に配置され、第１吸込口（91a）が形成される第１ベルマウス（91）と、上記本体部（90）の筒軸方向の両側のうち上記モータ（82）側に配置され、第２吸込口（92a）が形成される第２ベルマウス（92）とを有し、上記モータ（82）は、上記本体部（90）における上記第２ベルマウス（92）側の側面（90b）から、上記第１ベルマウス（91）と反対側の方向に離れており、上記第２吸込口（92a）の内径をＤとし、上記本体部（90）における上記第２ベルマウス（92）側の側面（90b）から上記モータ（82）までの距離をＬとすると、上記ファンケーシング（85）は、Ｌ／Ｄ≦０．４となるように構成され、上記第１ベルマウス（91）は、上記本体部（90）の側面（90a）から軸方向外方へ膨出するように構成され、上記第２ベルマウス（92）は、上記本体部（90）の側面（90b）から軸方向外方へ膨出する高さＨ２が０となる平坦状に形成されることを特徴とする。
【００１０】
第１の発明では、ファンケーシング（85）の本体部（90）の筒軸方向の両側にそれぞれベルマウス（91,92）が形成される。モータ（82）と反対側の第１ベルマウス（91）には、第１吸込口（91a）が形成され、モータ（82）側の第２ベルマウス（92）には、第２吸込口（92a）が形成される。モータ（82）がファンロータ（84）を駆動すると、各吸込口（91a,92a）から空気が吸い込まれ、この空気が所定方向へ吹き出される。
【００１１】
本発明のファンケーシング（85）は、第２吸込口（92a）の内径をＤとし、本体部（90）の第２ベルマウス（92）側の側面（90b）からモータ（82）までの距離をＬとすると、Ｌ／Ｄ≦０．４となるように構成される。つまり、第２吸込口（92a）の内径Ｄに対して、モータ（82）から本体部（90）までの間の距離Ｌが相対的に小さくなる。従って、第２吸込口（92a）に吸い込まれる空気は、モータ（82）の干渉を受けるため、吸込空気の抵抗が増大し易い。
【００１２】
しかしながら、本発明では、第２ベルマウス（92）が、軸方向外方へ膨出せず平坦状に形成され、ファンケーシング（85）の本体部（90）と略面一に構成される。従って、第２吸込口（92a）とモータ（82）との間の距離が十分確保され、第２吸込口（92a）の吸込空気の抵抗が小さくなる。
【００１３】
一方、第１ベルマウス（91）は、本体部（90）の側面（90a）から径方向に膨出している。このため、第１ベルマウス（91）の第１吸込口（91a）の外周の空気は、第１吸込口（91a）を通過する際に整流化される。
【００１４】
第２の発明は、第１の発明において、上記シロッコファン（80）は、前記第１吸込口（91a）及び前記第２吸込口（92a）が側方を向くように開口していることを特徴とする。
【００１５】
第３の発明は、請求項１又は２において、上記第２ベルマウス（92）の空気の流出端の内径が、上記第１ベルマウス（91）の空気の流出端の内径よりも小さいことを特徴とする。
【００１６】
第４の発明は、ケーシング（20）と、第１乃至第３のいずれか１つに記載のシロッコファン（80）とを備え、上記ケーシング（20）の内部には、上記シロッコファン（80）が配置される室（39,40）と、該室（39,40）と連通し該室（39,40）の上流側の空気が流れる空気通路（36,38）とが形成され、上記第１ベルマウス（91）の第１吸込口（91a）は、上記空気通路（36,38）の流出端側を向き、上記空気通路（36,38）から上記室（39,40）に流出した空気が、第１ベルマウス（91）の第１吸込口（91a）及び第２ベルマウス（92）の第２吸込口（92a）に吸い込まれることを特徴とする空気搬送装置である。
【発明の効果】
【００１７】
第１によれば、モータ（82）と本体部（90）との距離が比較的狭い状態であっても、モータ（82）と第２吸込口（92a）との間の距離を十分に確保でき、第２吸込口（92a）の吸込空気の抵抗の低減、ひいてはファン効率の向上を図ることができる。また、モータ（82）と本体部（90）との距離を比較的狭くすることで、シロッコファンの設置スペースを小さくできる。
【００１８】
また、第１の発明によれば、第１ベルマウス（91）が軸方向外方へ膨出するため、第１吸込口（91a）で吸込空気を十分に整流化できる。この結果、ファン効率を更に向上できる。
【００１９】
また、第１の発明によれば、第２ベルマウス（92）を軸方向外方へ膨出させる必要がないので、第２ベルマウス（92）の比較的容易な加工により形成できる。
【図面の簡単な説明】
【００２０】
【図１】図１は、実施形態に係る調湿装置の概略構成を示す平面図である。
【図２】図２は、実施形態に係る調湿装置の内部構造を示す図１のII矢視図（右面図）である。
【図３】図３は、実施形態に係る調湿装置の内部構造を示す図１のIII矢視図（左面図）である。
【図４】図４(Ａ)は、冷媒回路の概略の配管系統図であり、第１動作を示すものである。図４(Ｂ)は、冷媒回路の概略の配管系統図であり、第２動作を示すものである。
【図５】図５は、実施形態に係るシロッコファンの斜視図である。
【図６】図６は、実施形態に係るシロッコファンの上面図である。
【図７】図７は、実施形態に係るシロッコファンの図６のVII-VII断面図である。
【図８】図８は、比較例に係るシロッコファンのＬ／Ｄと効率αの関係を示すグラフである。
【図９】図９は、参考形態に係るシロッコファンの上面図である。
【図１０】図１０は、参考形態に係るシロッコファンのＬ／Ｈ２と効率αの関係を示すグラフである。
【発明を実施するための形態】
【００２１】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２２】
本発明の実施形態について説明する。実施形態に係るシロッコファン（80）（多翼ファン）は、調湿装置（10）に適用されている。
【００２３】
調湿装置（10）は、除湿運転と加湿運転とを切り換えて行うように構成される。調湿装置（10）は、ケーシング（20）と、冷媒回路（50）と、２つのファン（60,70）とを備えている。
【００２４】
〈ケーシング〉
図１〜図３に示すように、ケーシング（20）は、上下の高さが低い直方体状の箱形に形成されている。ケーシング（20）は、前面パネル（21）と後面パネル（22）と第１側面パネル（23）と第２側面パネル（24）と底板（25）と天板（26）とを有している。
【００２５】
第１側面パネル（23）は、ケーシング（20）の右側（図１の右側）に形成され、第２側面パネル（24）は、ケーシング（20）の左側（図１の左側）に形成される。第１側面パネル（23）には、上部中間部に外気吸込口（31）が形成され、上部後方部に排気口（32）が形成される。第２側面パネル（24）には、下部中間部に内気吸込口（33）が形成され、下部後方部に給気口（34）が形成される。外気吸込口（31）には、室外に連通する外気ダクト（31a）が接続され、排気口（32）には、室外に連通する排気ダクト（32a）が接続される。内気吸込口（33）には、室内に連通する内気ダクト（33a）が接続され、給気口（34）には、室内に連通する給気ダクト（34a）が接続される。
【００２６】
ケーシング（20）の内部の前面寄りには、第１側面パネル（23）に沿って外気通路（35）と排気通路（36）とが形成される。外気通路（35）は、給気通路（38）の上側に形成され、外気吸込口（31）と連通している。ケーシング（20）の内部の前面寄りには、第２側面パネル（24）に沿って内気通路（37）と給気通路（38）とが形成される。内気通路（37）は、給気通路（38）の下側に形成され、内気吸込口（33）と連通している。
【００２７】
ケーシング（20）の内部の前面寄りの中央部には、第１熱交換器室（41）と第２熱交換器室（42）とが形成される。各熱交換器室（41,42）には、それぞれ４枚のダンパ（45）が面している。第１熱交換器室（41）は、各ダンパ（45）を介して、外気通路（35）、排気通路（36）、内気通路（37）、及び給気通路（38）とそれぞれ断続する。第２熱交換器室（42）は、各ダンパ（45）を介して、外気通路（35）、排気通路（36）、内気通路（37）、及び給気通路（38）とそれぞれ断続する。
【００２８】
ケーシング（20）の内部の後方寄りには、第１側面パネル（23）に沿って排気室（39）が形成され、第２側面パネル（24）に沿って給気室（40）が形成される。排気室（39）は、排気通路（36）及び排気口（32）と連通し、給気室（40）は、給気通路（38）及び給気口（34）と連通している。
【００２９】
〈冷媒回路〉
図４に示すように、調湿装置（10）は、冷媒が充填される冷媒回路（50）を備えている。冷媒回路（50）では、冷媒が循環することで蒸気圧縮式の冷凍サイクルが行われる。冷媒回路（50）には、圧縮機（51）と第１吸着熱交換器（52）と膨張弁（53）と第２吸着熱交換器（54）と四方切換弁（55）とが接続される。
【００３０】
図１に示すように、圧縮機（51）は、給気室（40）の右側寄りに配置される。各吸着熱交換器（52,54）は、フィン・アンド・チューブ式の熱交換器の表面に水分を吸着又は脱離する吸着剤（収着剤）が担持される。第１吸着熱交換器（52）は、第１熱交換器室（41）に配置され、第２吸着熱交換器（54）は、第２熱交換器室（42）に配置される。
【００３１】
四方切換弁（55）は、圧縮機（51）の吐出側と連通する第１ポートと、圧縮機（51）の吸入側と連通する第２ポートとを有している。四方切換弁（55）は、第１吸着熱交換器（52）のガス側端部と連通する第３ポートと、第２吸着熱交換器（54）のガス側端部と連通する第４ポートとを有している。四方切換弁（55）は、第１ポートと第３ポートが連通し且つ第２ポートと第４ポートが連通する第１の状態（図４(Ａ)）と、第１ポートと第４ポートが連通し第２ポートと第３ポートが連通する第２の状態（図４(Ｂ)）とに切り換わる。
【００３２】
〈シロッコファンの構成〉
排気ファン（60）及び給気ファン（70）は、それぞれ同様の構成のシロッコファン（80）で構成される。図１に示すように、排気ファン（60）は、排気室（39）に配置され、給気ファン（70）は、給気室（40）に配置される。排気ファン（60）の吹出口（61）は、排気口（32）に接続され、給気ファン（70）の吹出口（71）は、給気口（34）に接続される。
【００３３】
シロッコファン（80）の詳細な構成について、図５〜図７を参照しながら説明する。
【００３４】
シロッコファン（80）は、モータ支持台（81）と、モータ（82）と、シャフト（83）と、ファンロータ（84）と、ファンケーシング（85）とを有している。
【００３５】
モータ支持台（81）は、調湿装置（10）の底板（25）に設置されている。モータ支持台（81）は、縦長板状の一対の支持板（81a）と、該一対の支持板（81a）の各下端に亘るベース板（81b）と、一対の支持板（81a）の間に垂直な姿勢で介設される中間板（81c）とを有している。一対の支持板（81a）の上端は、上方に向かって幅が狭くなるテーパ状に形成される。
【００３６】
モータ（82）は、一対の支持板（81a）の各上端部の間に支持されている。モータ（82）は、調湿装置（10）の後面パネル（22）に対向して配置される（図１を参照）。
【００３７】
シャフト（83）の一端は、モータ（82）の軸心部に連結されている。シャフト（83）の他端は、ファンロータ（84）の軸心部に連結されている。
【００３８】
ファンロータ（84）は、外形が略円筒状に形成される羽根車を構成している。ファンロータ（84）の外周側には、複数の羽根（84a）が略等間隔置きに周方向に配列されている。
【００３９】
ファンケーシング（85）は、シャフト（83）の一部、及びファンロータ（84）を収容するケーシングを構成している。本実施形態のファンケーシング（85）は、樹脂性のケース部（86）と、金属製の閉塞部材（87）とを有している。
【００４０】
ケース部（86）は、モータ（82）側が開放された中空状に形成されている。ケース部（86）は、ファンロータ（84）が収容される略筒状の収容部（86a）と、該収容部（86a）の内部と連通する矩形状の吹出口（61,71）とを有している。
【００４１】
閉塞部材（87）は、ケース部（86）のうちモータ（82）側の開放部の全域を覆っている。閉塞部材（87）は、ケース部（86）の上端から調湿装置（10）の底板（25）に亘って延びる略矩形状の閉塞支持板（88）と、該閉塞支持板（88）の上部に配置される吸込板（89）とを有している。吸込板（89）は、閉塞支持板（88）の表面に重なるように該閉塞支持板（88）にビス（締結部材）を介して固定される。閉塞支持板（88）における吸込板（89）に対応する部位には、開口が形成され、この開口を吸込板（89）が覆っている。
【００４２】
本実施形態では、ケース部（86）の収容部（86a）及び閉塞支持板（88）の上側部位が略筒状の本体部（90）を構成している。つまり、本体部（90）は、モータ（82）と同軸となるように、該モータ（82）と隣接するように配置され、ファンロータ（84）の全体を収容している。
【００４３】
本体部（90）の筒軸方向の両側には、それぞれベルマウス（91,92）が形成されている。これらのベルマウス（91,92）のうちモータ（82）と反対側のベルマウスが第１ベルマウス（91）を構成し、モータ（82）側のベルマウスが第２ベルマウス（92）を構成している。
【００４４】
第１ベルマウス（91）は、樹脂性のケース部（86）と一体に成形されている。第１ベルマウス（91）は、本体部（90）におけるモータ（82）と反対側の第１側面（90a）（図６及び図７を参照）から軸方向外方に凸状に膨出している。第１ベルマウス（91）の内部には、第１吸込口（91a）が形成されている。第１吸込口（91a）の内周縁部は、軸方向外方に向かうにつれて内径を拡大させるような略ラッパ形状に構成されている。図１に示すように、排気ファン（60）の第１ベルマウス（91）（第１吸込口（91a））は、排気通路（36）に対向し、給気ファン（70）の第１ベルマウス（91）（第１吸込口（91a））は、給気通路（38）に対向している。
【００４５】
第２ベルマウス（92）は、上記吸込板（89）の中央部に形成されている。第２ベルマウス（92）は、本体部（90）におけるモータ（82）側の第２側面（90b）と略面一に構成されている。つまり、第２ベルマウス（92）は、本体部（90）から軸方向外方へ膨出しておらず、平坦状に構成されている。
【００４６】
第２ベルマウス（92）では、板金を絞り加工することにより、内部に第２吸込口（92a）が形成される。第２吸込口（92a）の内周縁部は、軸方向外方へ向かうにつれて内径を拡大させるような略ラッパ形状に構成されている。
【００４７】
〈シロッコファンの寸法関係〉
本実施形態に係るシロッコファン（80）の寸法関係について図７を参照しながら説明する。ファンケーシング（85）では、本体部（90）の第１側面（90a）から軸方向外方へ第１ベルマウス（91）が膨出している。つまり、第１ベルマウス（91）の膨出高さＨ１は、０よりも大きい所定長さであり、一方、ファンケーシング（85）では、本体部（90）の第２側面（90b）から軸方向外方へ第２ベルマウス（92）が膨出していない。つまり、第２ベルマウス（92）の膨出高さＨ２は、実質的に０ということもできる。
【００４８】
シロッコファン（80）では、モータ（82）におけるファンケーシング（85）側の側面から第２側面（90b）までの距離をＬとし、第２ベルマウス（92）の第２吸込口（92a）の内径（厳密には、図５及び７に示す最大内径）をＤとすると、Ｌ／Ｄ≦０．４となっている。つまり、シロッコファン（80）では、第２吸込口（92a）の内径Ｄに対してモータ（82）と本体部（90）の間隔Ｌが比較的狭くなっている。距離Ｌは例えば５４ｍｍであり、内径Ｄは例えば１７５ｍｍである。つまり、Ｌ／Ｄは約０．３となっている。
【００４９】
−運転動作−
次いで、調湿装置（10）の運転動作について図１〜図４を参照しながら説明する。調湿装置（10）の運転時には、冷媒回路（50）で冷凍サイクルが行われると同時に、給気ファン（70）及び排気ファン（60）が作動状態となる。
【００５０】
［除湿運転］
調湿装置（10）の除湿運転では、第１動作と第２動作とが繰り返し行われる。第１動作では、第１吸着熱交換器（52）が放熱器（凝縮器）となり、第２吸着熱交換器（54）が蒸発器となる冷凍サイクルが行われる。第２動作では、第２吸着熱交換器（54）が放熱器（凝縮器）となり、第１吸着熱交換器（52）が蒸発器となる冷凍サイクルが行われる。
【００５１】
第１動作では、室外空気（OA）が外気通路（35）、第２熱交換器室（42）、給気通路（38）を順に通過するようにダンパ（45）の開閉状態が切り換えられる。これにより、室外空気（OA）は、第２吸着熱交換器（54）で除湿され、給気通路（38）、給気室（40）、及び給気口（34）を介して供給空気（SA）として室内へ供給される。また、第１動作では、室内空気（RA）が内気通路（37）、第１熱交換器室（41）、排気通路（36）を順に通過するようにダンパ（45）の開閉状態が切り換えられる。これにより、室内空気（RA）は、第１吸着熱交換器（52）の吸着剤の再生に利用され、排気通路（36）、排気室（39）、及び排気口（32）を介して室外空気（EA）として室外へ排出される。
【００５２】
第２動作では、室外空気（OA）が外気通路（35）、第１熱交換器室（41）、給気通路（38）を順に通過するようにダンパ（45）の開閉状態が切り換えられる。これにより、室外空気（OA）は、第１吸着熱交換器（52）で除湿され、給気通路（38）、給気室（40）、及び給気口（34）を介して供給空気（SA）として室内へ供給される。また、第２動作では、室内空気（RA）が内気通路（37）、第２熱交換器室（42）、排気通路（36）を順に通過するようにダンパ（45）の開閉状態が切り換えられる。これにより、室内空気（RA）は、第２吸着熱交換器（54）の吸着剤の再生に利用され、排気通路（36）、排気室（39）、及び排気口（32）を介して室外空気（EA）として室外へ排出される。
【００５３】
［加湿運転］
調湿装置（10）の加湿運転では、第１動作と第２動作とが繰り返し行われる。
【００５４】
第１動作では、室外空気（OA）が外気通路（35）、第１熱交換器室（41）、給気通路（38）を順に通過するようにダンパ（45）の開閉状態が切り換えられる。これにより、室外空気（OA）は、第１吸着熱交換器（52）で加湿され、給気通路（38）、給気室（40）、及び給気口（34）を介して供給空気（SA）として室内へ供給される。また、第１動作では、室内空気（RA）が内気通路（37）、第２熱交換器室（42）、排気通路（36）を順に通過するようにダンパ（45）の開閉状態が切り換えられる。これにより、室内空気（RA）は、第２吸着熱交換器（54）の吸着剤へ水分を付与し、排気通路（36）、排気室（39）、及び排気口（32）を介して室外空気（EA）として室外へ排出される。
【００５５】
第２動作では、室外空気（OA）が外気通路（35）、第２熱交換器室（42）、給気通路（38）を順に通過するようにダンパ（45）の開閉状態が切り換えられる。これにより、室外空気（OA）は、第２吸着熱交換器（54）で加湿され、給気通路（38）、給気室（40）、及び給気口（34）を介して供給空気（SA）として室内へ供給される。また、第２動作では、室内空気（RA）が内気通路（37）、第１熱交換器室（41）、排気通路（36）を順に通過するようにダンパ（45）の開閉状態が切り換えられる。これにより、室内空気（RA）は、第１吸着熱交換器（52）の吸着剤へ水分を付与し、排気通路（36）、排気室（39）、及び排気口（32）を介して室外空気（EA）として室外へ排出される。
【００５６】
〈シロッコファンの作用効果〉
上述した除湿運転や加湿運転では、給気ファン（70）や排気ファン（60）が作動する。これらのシロッコファン（80）では、モータ（82）がファンロータ（84）を回転駆動することで、第１吸込口（91a）及び第２吸込口（92a）からそれぞれ空気が吸い込まれる。吸い込まれた空気は、ファンロータ（84）の周方向（接線方向）に向きを変え、各吹出口（61,71）より吹き出される。
【００５７】
ここで、本実施形態のシロッコファン（80）では、設置スペースを小さくするために、第２吸込口（92a）の内径Ｄに対し、モータ（82）とファンケーシング（85）の本体部（90）との間の距離Ｌを相対的に小さくしている。具体的には、ファンケーシング（85）は、Ｌ／Ｄ≦０．４となるように構成される。ところが、このように、Ｌ／Ｄを小さくしていくと、ファンの効率が低下するという問題が生じる。この点について、図８を参照しながら説明する。
【００５８】
図８は、比較例のシロッコファンについて、Ｌ／Ｄを変化させるとどの程度ファンの効率が低下するかを検証したグラフである。ここで、縦軸の効率αは、η２／η１で求められる。η１は、モータが第２吸込口の吸込空気と干渉しないように、両者を極力離した際のファンの効率（最大効率）である。これに対し、η２は、Ｌ／Ｄを変化させて計測したファンの効率である。つまり、この効率αが低いほど、最大のファン効率η１に対して実際のファン効率η２が低下していることを示す。
【００５９】
なお、比較例のシロッコファンは、ファンケーシングの本体部の両側の側面からそれぞれ同じ膨出高さで軸方向外方へ膨出する一対の凸状のベルマウスを有するものである。
【００６０】
図８に示すように、比較例のシロッコファンでは、Ｌ／Ｄが０．４以下になると急激に効率αが低下してしまうことがわかる。つまり、比較例のシロッコファンにおいて、設置スペースを小さくするために、モータと本体部とを近づけると、モータが第２吸込口に干渉してしまい、第２吸込口に吸い込まれる空気の抵抗が増大してしまう。この結果、縦軸で示す効率αが低下してしまうという問題が生じる。
【００６１】
そこで、本実施形態では、第２ベルマウス（92）を軸方向外方へ膨出させず、平坦状に形成している。これにより、図７に示すように、モータ（82）と第２吸込口（92a）までの距離を十分に確保できるため、モータ（82）が第２吸込口（92a）と干渉することを防止できる。この結果、第２吸込口（92a）の吸込空気の抵抗を低減でき、モータ効率を向上できる。
【００６２】
また、本実施形態では、モータ（82）が隣接しておらず、空気通路（給気通路（38）又は排気通路（36））に面する第１ベルマウス（91）を軸方向外方へ膨出させている。このため、第１ベルマウス（91）では、周囲の空気を整流しながら吸い込むことができ、モータの効率を更に向上できる。
【００６３】
−実施形態の効果−
本実施形態によれば、モータ（82）とファンケーシング（85）の本体部（90）との距離が比較的狭い状態であっても、モータ（82）と第２吸込口（92a）との間の距離を十分に確保でき、第２吸込口（92a）の吸込空気の抵抗の低減、ひいてはファン効率の向上を図ることができる。また、モータ（82）とファンケーシング（85）の本体部（90）との距離を比較的狭くすることで、シロッコファン（80）の設置スペースを小さくできる。
【００６４】
また、このように、Ｌ／Ｄが０．４以下である条件下において、モータ（82）と第２吸込口（92a）との間の距離を十分に確保できると、第２吸込口（92a）に吸い込まれる空気の流量、ないし流速を増大させることができる。この結果、シロッコファン（80）のファン性能を向上できる。
【００６５】
また、第１ベルマウス（91）が軸方向外方へ膨出するため、第１吸込口（91a）で吸込空気を十分に整流化できる。この結果、ファン効率を更に向上できる。
【００６６】
また、本実施形態では、第２ベルマウス（92）を軸方向外方へ膨出させる必要がないので、板金を絞り加工することで、第２ベルマウス（92）を容易に成形できる。
【００６７】
〈参考形態〉
参考形態は、上記実施形態とシロッコファン（80）の構成が異なるものである。図９に示すように、参考形態のシロッコファン（80）では、実施形態と異なり、第２ベルマウス（92）も軸方向外方へ凸状に膨出している。第２ベルマウス（92）の膨出高さＨ２は、第１ベルマウス（91）の膨出高さＨ１より小さい。
【００６８】
また、参考形態のファンケーシング（85）は、Ｌ／Ｄ＝０．４となるように構成される。これにより、シロッコファン（80）の設置スペースが比較的小さくなる一方、モータ（82）と第２吸込口（92a）との距離が過剰に狭くなることもない。更に、変形例のファンケーシング（85）は、Ｌ／Ｈ２≧１０となるように構成されている。この点について、図１０を参照しながら説明する。
【００６９】
図１０は、縦軸を上述した効率αとし、横軸をＬ／Ｈ２としたときの両者の関係を示すグラフである。このグラフからわかるように、Ｌ／Ｈ２が１０より小さくなると、効率αが著しく低下する。これは、モータ（82）と本体部（90）との間の距離Ｌに対して、第２ベルマウス（92）の膨出高さＨ２が相対的に大きめとなり、モータ（82）が第２吸込口（92a）と干渉し易くなるからである。これに対し、Ｌ／Ｈ２が１０以上になると、効率αがほぼ最大値（α＝１．０）に達する。膨出高さＨ２が小さくなることに起因して、モータ（82）が第２吸込口（92a）と干渉し難くなり、吸込空気の抵抗が小さくなるからである。
【００７０】
以上のように、参考形態では、Ｈ２＜Ｈ１且つＬ／Ｄ＝０．４且つＬ／Ｈ２≧１０の関係式を満たすことで、第２吸込口（92a）の吸込空気の抵抗を低減でき、且つ第１ベルマウス（91）での整流効果も十分得ることができる。
【００７１】
また、このような条件下において、モータ（82）と第２吸込口（92a）との間の距離を十分に確保できると、第２吸込口（92a）に吸い込まれる空気の流量、ないし流速を増大させることができる。この結果、シロッコファン（80）のファン性能を向上できる。
【００７２】
《その他の実施形態》
上述した実施形態では、給気ファン（70）と排気ファン（60）との双方に本発明に係るシロッコファン（80）を採用しているが、いずれか一方のみに採用してもよい。
【００７３】
また、本実施形態では、シロッコファン（80）を調湿装置（10）に搭載しているが、換気装置、空気調和機、空気清浄機等の他の装置（空気を搬送する装置）に本発明に係るシロッコファン（80）を搭載してもよい。  
【産業上の利用可能性】
【００７４】
以上説明したように、本発明は、シロッコファンについて有用である。
【符号の説明】
【００７５】
60             排気ファン（シロッコファン）
70             給気ファン（シロッコファン）
80             シロッコファン
82             モータ
84             ファンロータ
85             ファンケーシング
90             本体部
90a            第１側面
90b            第２側面
91             第１ベルマウス
91a            第１吸込口
92             第２ベルマウス
92a            第２吸込口
【手続補正２】
【補正対象書類名】特許請求の範囲
【補正対象項目名】全文
【補正方法】変更
【補正の内容】
【特許請求の範囲】
【請求項１】
シロッコファンであって、
モータ（82）と、
上記モータ（82）に回転駆動されるファンロータ（84）と、
上記ファンロータ（84）を収容する略筒状の本体部（90）を有するファンケーシング（85）とを備え、
上記ファンケーシング（85）は、
上記本体部（90）の筒軸方向の両側のうち上記モータ（82）と反対側に配置され、第１吸込口（91a）が形成される第１ベルマウス（91）と、
上記本体部（90）の筒軸方向の両側のうち上記モータ（82）側に配置され、第２吸込口（92a）が形成される第２ベルマウス（92）とを有し、
上記モータ（82）は、上記本体部（90）における上記第２ベルマウス（92）側の側面（90b）から、上記第１ベルマウス（91）と反対側の方向に離れており、
上記第２吸込口（92a）の内径をＤとし、上記本体部（90）における上記第２ベルマウス（92）側の側面（90b）から上記モータ（82）までの距離をＬとすると、
上記ファンケーシング（85）は、Ｌ／Ｄ≦０．４となるように構成され、
上記第１ベルマウス（91）は、上記本体部（90）の側面（90a）から軸方向外方へ膨出するように構成され、
上記第２ベルマウス（92）は、上記本体部（90）の側面（90b）から軸方向外方へ膨出する高さＨ２が０となる平坦状に形成される
ことを特徴とするシロッコファン。
【請求項２】
請求項１において、
上記シロッコファン（80）は、上記第１吸込口（91a）及び上記第２吸込口（92a）が側方を向くように開口していることを特徴とするシロッコファン。
【請求項３】
請求項１又は２において、
上記第２ベルマウス（92）の空気の流出端の内径が、上記第１ベルマウス（91）の空気の流出端の内径よりも小さいことを特徴とするシロッコファン。
【請求項４】
ケーシング（20）と、
請求項１乃至３のいずれか１つに記載のシロッコファン（80）とを備え、
上記ケーシング（20）の内部には、上記シロッコファン（80）が配置される室（39,40）と、該室（39,40）と連通し該室（39,40）の上流側の空気が流れる空気通路（36,38）とが形成され、
上記第１ベルマウス（91）の第１吸込口（91a）は、上記空気通路（36,38）の流出端側を向き、
上記空気通路（36,38）から上記室（39,40）に流出した空気が、第１ベルマウス（91）の第１吸込口（91a）及び第２ベルマウス（92）の第２吸込口（92a）に吸い込まれる
ことを特徴とする空気搬送装置。